(57)【要約】【課題】            とくに昇降機構に工夫を凝らすことによってスタンドの昇降動作時の異音の発生を防止し、薄型化を図ることのできる、ディスプレイモニター用スタンドを提供する。【解決手段】        ベース部材と、このベース部材より立設されたケースと、このケースに対し上下方向へ摺動可能に挿入された昇降板と、この昇降板の上部にチルト機構を介して取り付けられたディスプレイモニター取付用のブラケットと、前記昇降板に取り付けたラック部材と噛合する駆動ピニオンギヤを有し前記ケースに固定して取り付けた一方向の回転時に回転トルクを発生させるトルクリミッターとで構成する。前記昇降板の中央部には上下方向に伸張するガイド穴を設け、このガイド穴の一側に沿ってラック部材を取り付けて構成することもできる。【選択図】          図４
2005191637.tif 000002
【特許請求の範囲】
【請求項１】
ベース部材と、このベース部材より立設されたケースと、このケースに対し上下方向へ摺動可能に挿入された昇降板と、この昇降板の上部にチルト機構を介して取り付けられたディスプレイモニター取付用のブラケットと、前記昇降板に取り付けたラック部材と噛合する駆動ピニオンギヤを有し前記ケースに固定して取り付けた一方向の回転時に回転トルクを発生させるトルクリミッターとで構成したことを特徴とする、ディスプレイモニター用スタンド。
【請求項２】
前記ケースは前記ベース部材に対し、チルト機構を介して前後方向へ揺動可能に取り付けられることを特徴とする、請求項１に記載のディスプレイモニター用スタンド。
【請求項３】
前記ブラケットは、チルト機構を介して前記昇降板へ取り付けられていることを特徴とする、請求項１に記載のディスプレイモニター用スタンド。
【請求項４】
前記駆動ピニオンギヤとラック部材の一方或は双方を合成樹脂製としたことを特徴とする、請求項１乃至２のいずれかに記載のディスプレイモニター用スタンド。
【請求項５】
前記昇降板の両側部には、スライダー部材を取り付けたことを特徴とする、請求項１乃至３のいずれかに記載のディスプレイモニター用スタンド。
【請求項６】
前記昇降板の中央部には上下方向に伸張するガイド穴を設け、このガイド穴の一側に沿ってラック部材を取り付けたことを特徴とする、請求項１乃至４のいずれに記載のディスプレイモニター用スタンド。
【発明の詳細な説明】
【技術分野】
【０００１】
この発明は、例えばノートパソコン、卓上に置く液晶モニター、薄型モニターのようなディスプレイモニターに用いて好適なディスプレイモニター用スタンドに関する。
【背景技術】
【０００２】
従来、卓上へ置いたディスプレイモニターの高さや角度を調節するために、下記特許文献に示されたさまざまなディスプレイモニター用スタンドが公知である。
【０００３】
【特許文献１】登録第３０６３９２０号登録実用新案公報
【特許文献２】特開平１１−３３８５７６号公開特許公報
【０００４】
これらの特許文献に示されたディスプレイモニター用スタンドの高さを調節する昇降機構は、いずれもフリクション機構とコンプレッションスプリング、引張スプリング、及びコンストンスプリングから成る弾性手段を組み合わせたものであった。
【発明の開示】
【発明が解決しようとする課題】
【０００５】
これらのフリクション機構と弾性手段を組み合わせて成る昇降機構を有するディスプレイモニター用スタンドは、弾性手段の伸縮動作、及びフリクション機構の摩擦時に異音が発生し易い上に、弾性手段の持つばね特性により、スタンドの厚さを減じることが困難であり、スタンドをコンパクトでスマートに構成するにつき限界があった。
【０００６】
この発明の目的は、とくに昇降機構に工夫を凝らすことによってスタンドの昇降動作時の異音の発生を防止し、薄型化を図ることのできる、ディスプレイモニター用スタンドを提供せんとするにある。
【課題を解決するための手段】
【０００７】
上述した目的を達成するためにこの発明は、ベース部材と、このベース部材より立設されたケースと、このケースに対し上下方向へ摺動可能に挿入された昇降板と、この昇降板の上部にチルト機構を介して取り付けられたディスプレイモニター取付用のブラケットと、前記昇降板に取り付けたラック部材と噛合する駆動ピニオンギヤを有し前記ケースに固定して取り付けた一方向の回転時に回転トルクを発生させるトルクリミッターとで構成したことを特徴とする。
【０００８】
その際にこの発明は、前記ケースを前記ベース部材に対し、チルト機構を介して前後方向へ揺動可能に取り付けることができる。
【０００９】
この発明はまた、前記ブラケットを、チルト機構を介して前記昇降板へ取り付けることができる。
【００１０】
この発明はまた、前記駆動ピニオンギヤとラック部材を合成樹脂製とすることができる。
【００１１】
この発明はさらに、前記昇降板の両側部に、スライダー部材を取り付けることができる。
【００１２】
そしてこの発明は、前記昇降板の中央部に、上下方向に伸張するガイド穴を設け、このガイド穴の一側に沿ってラック部材を取り付けることができる。
【発明の効果】
【００１３】
この発明によれば、昇降機構に薄型のトルクリミッターを用いることにより、全体として薄型化を図り、このトルクリミッターを動作させる駆動ギヤとこの駆動ギヤと噛合するラックギヤを各々合成樹脂製のものとすることにより動作時に異音の発生を防止することができるものである。
【発明を実施するための最良の形態】
【００１４】
【実施例１】
【００１５】
図面はこの発明の一実施の形態を示し、指示記号１で示したものは、ベース部材であり、図１に想像線で示した台座部Ａに取り付けられる。このベース部材１には所定間隔を空けて公知構成を有する一対の第１チルト機構２，２の各取付部材３，３が所定間隔を空けて取付ビス３ａ，３ａ・・・で取り付けられており、この第１チルト機構２，２の各ブラケット４，４に昇降機構Ｂの支持ケース５のケース本体６の下部両側部が取付ビス４ａ，４ａ・・・で取り付けられている。このケース本体６は合成樹脂製の成型品で、前側に前蓋７が、下部側に下部蓋８が各々取付ビス７ａ，７ａ・・・と８ａ，８ａ・・・で取り付けられている。第１チルト機構２，２は、取付部材３，３とブラケット４，４以外に、シャフト９と１枚又は複数枚のフリクションワッシャー１０と、同じく１枚又は複数枚のスプリングワッシャー１１、押えワッシャー１２、及び締付ナット１３とから成る公知構成のもので、締付ナット１３に代えてシャフト９の端部をかしめて必要なフリクショントルクを得るようにしても良い。また、この第１チルト機構２，２の締付ナット１３を設けた側をケース本体６内に収納させてしまう構成であっても良い。
【００１６】
指示記号１４で示したものは、図１に想像線で示したディスプレイモニターＣを取り付けるモニター用ブラケットであり、このモニター用ブラケット１４の両下端部は、一対の第２チルト機構１６，１６の各ブラケット１７，１７に取付ビス１４ａ，１４ａ・・・で固着されている。この第２チルト機構１６，１６の取付部材１８，１８は、支持ケース５内に上下方向へ摺動可能に挿入された昇降板１９の上部両端部へ取付ビス１７ａ，１７ａ・・・で固着されている。
【００１７】
第２チルト機構１６，１６は、第１チルト機構２と同じ構成であり、ブラケット１７，１７、取付部材１８，１８の外に、シャフト２０と、１枚或は複数枚のフリクションワッシャー２１と、同じく１枚或は複数枚のスプリングワッシャー２２と、押えワッシャー２３と、及び締付ナット２４とから成る公知構成のもので、締付ナット２４に代えてシャフト２０の端部を、必要なフリクショントルクを得るようにしてかしめても良い。
【００１８】
昇降板１９には、中央部を上下に渡ってくり抜いてガイド穴１９ａが形成されると共に、両端部の両面にスライド部材２５ａ，２５ｂ・２６ａ，２６ｂを取り付け、支持ケース５内に上下方向へ摺動可能に挿入されている。昇降板１９には、さらにガイド穴１９ａに沿って、例えばＰＯＭ等の合成樹脂製のラック部材２７が取付ビス２７ａ，２７ａ・・・で取り付けられている。尚、指示記号２５ｃ，２６ｃのものは、波ワッシャーであり、昇降板１９のスライド操作力を調整する機能を営むものである。
【００１９】
支持ケース５のケース本体６の内側には、支軸２８が突設され、この支軸２８にトルクリミッター２９が係止されている。このトルクリミッター２９は一方向の回転時のみ、トルクを発生させる構成のもので、ＣＳ止め輪、或はＥリング３０によって支軸２８に抜止係止されると共に、前蓋７に設けた切欠部７ｂに嵌入されることによって回転規制されている。尚、このトルクリミッター２９は、切欠部７ｂや支軸２８によらず、支持ケース５に他の手段で固定させても良い。
【００２０】
そして、このトルクリミッター２９の回転部には、例えばＰＯＭ等の合成樹脂製の駆動ピニオンギア３１が取り付けられ、この駆動ピニオンギヤ３１がラック部材２７と噛合している。なお、前蓋７の切欠部７ｂから内側へ折り曲げて設けられたものは、ストッパー部材３２であり、その先端を昇降板１９に設けたガイド穴１９ａに嵌入させている。
【００２１】
したがって、この発明に係るディスプレイモニター用スタンドに取り付けたディスプレイモニターＣの前後方向の角度調節は、第１及び第２チルト機構２，２・１６，１６により、任意に行うことができ、高さ調節は、昇降板１９が支持ケース５に対し上下方向へ摺動することによってなされる。その際に、ディスプレイモニターＣの上方向の移動は、トルクリミッター２９に回転トルクが発生しない構成であるので、駆動ピニオンギヤ３１がラック部材２７上を回転しつつなされる。ディスプレイモニターＣの下方向の移動時には、ラック部材２７に案内されて回転する駆動ピニオンギヤ３１が、トルクリミッター２９が創出する回転トルクによる負荷を受けるので、このトルクリミッター２９の回転トルクに抗して下降し、手を離したところで、任意に停止し安定保持状態を保つことができるものである。
【００２２】
そして、昇降動作の際には、合成樹脂製のラック部材１７と駆動ピニオンギヤ３１の噛合としたことにより、異音の発生が極めて少なく、滑らかでスムーズに動作するものである。尚、ラック部材２７と駆動ピニオンギヤ３１の一方は金属製であっても良い。
【産業上の利用可能性】
【００２３】
以上、詳細に説明したところから解かるとおり、薄型でスマートな外観を有し、異音の発生が少ないので、各種ディスプレイモニター用のスタンドとして広い汎用性を持つものである。
【図面の簡単な説明】
【００２４】
【図１】この発明に係るディスプレイモニター用スタンドの斜視図である。
【図２】図１に示したディスプレイモニター用スタンドの実装時の側面図である。
【図３】図１に示したディスプレイモニター用スタンドの背面図である。
【図４】図１に示したディスプレイモニター用スタンドの分解斜視図である。
【符号の説明】
【００２５】
Ａ  台座部
Ｂ  昇降機構
Ｃ  ディスプレイモニター
１  ベース部材
２  第１チルト機構
３  取付部材
３ａ  取付ビス
４  ブラケット
４ａ  取付ビス
５  支持ケース
６  ケース本体
７  前蓋
７ａ  取付ビス
７ｂ  切欠部
８  下部蓋
８ａ  取付ビス
９  シャフト
１０  フリクションワッシャー
１１  スプリングワッシャー
１２  押えワッシャー
１３  締付ナット
１４  モニター用ブラケット
１４ａ  取付ビス
１６  第２チルト機構
１７  ブラケット
１７ａ  取付ビス
１８  取付部材
１９  昇降板
１９ａ  ガイド穴
２０  シャフト
２１  フリクションワッシャー
２２  スプリングワッシャー
２３  押え用ワッシャー
２４  締付ナット
２５ａ  スライド部材
２５ｂ  スライド部材
２５ｃ  波ワッシャー
２６ａ  スライド部材
２６ｂ  スライド部材
２６ｃ  波ワッシャー
２７  ラック部材
２７ａ  取付ビス
２８  支軸
２９  トルクリミッター
３０  Ｅリング
３１  駆動ピニオンギア
３２  ストッパー部材
【図１】
2005191637.tif 000003
【図２】
2005191637.tif 000004
【図３】
2005191637.tif 000005
【図４】
2005191637.tif 000006